(57)【特許請求の範囲】
【請求項１】
室外側でのキーによるシリンダの操作または室内側でのサムターンの操作によって施錠または解錠されると共に、前記シリンダによる施錠状態のみを検知して外出と判定する外出判定手段を備えて成る扉錠であって、外出判定手段を施錠検知スイッチとスイッチ作動部材とから構成する一方、前記キーによる施錠操作または解錠操作に連動して回動するハブ作動部材と、前記サムターンのサムピース軸とを、連動機構によって連動連結し、かつ、クラッチ手段を介してハブ作動部材により回転操作される回転部材の回動によって前記スイッチを作動させて、在室又は外出判定の検知を行わせるように構成して成り、サムピース軸の端面部に凹入部を形成すると共に、この凹入部に幅方向でルーズに係入する突出部をハブ作動部材に形成して連動機構を構成する一方、クラッチ手段として、サムピース軸の端部側に、前記凹入部に直交する方向でのスライドに伴って回転部材のクラッチ溝に係入するクラッチ部材を保持させ、かつ、このクラッチ部材にハブ作動部材の突出部を係合させて、ハブ作動部材の回動に伴ってのみクラッチ部材をクラッチ溝の端部に係止させて、回転部材をハブ作動部材の回動に連動させて回転させるように構成して成ることを特徴とする扉錠。
【請求項２】
室外側でのキーによるシリンダの操作または室内側でのサムターンの操作によって施錠または解錠されると共に、前記シリンダによる施錠状態のみを検知して外出と判定する外出判定手段を備えて成る扉錠であって、外出判定手段を施錠検知スイッチとスイッチ作動部材とから構成する一方、前記キーによる施錠操作または解錠操作に連動して回動するハブ作動部材と、前記サムターンのサムピース軸とを、連動機構によって連動連結し、かつ、クラッチ手段を介してハブ作動部材により回転操作される回転部材の回動によって前記スイッチを作動させて、在室又は外出判定の検知を行わせるように構成して成り、サムピース軸の端面部に凹入部を形成すると共に、この凹入部に幅方向でルーズに係入する突出部をハブ作動部材に形成して連動機構を構成する一方、クラッチ手段として、サムピース軸の端部側に、前記凹入部に直交する方向での回動に伴って回転部材のクラッチ係止部に係脱するクラッチ部材を保持させ、かつ、このクラッチ部材にハブ作動部材の突出部を係合させて、ハブ作動部材の施錠方向への回動に伴ってクラッチ部材をクラッチ係止部に係止させる一方、ハブ作動部材の解錠方向への回動に伴って、ハブ作動部材の突出部を回転部材に係止させて、回転部材をハブ作動部材の回動に連動させて回転させるように構成して成ることを特徴とする扉錠。
【発明の詳細な説明】
【０００１】
【発明の属する技術分野】
本発明は、室外側でのキーによるシリンダの操作または室内側でのサムターンの操作によって施錠または解錠されると共に、前記シリンダによる施錠又は解錠状態を検知して外出又は在室と判定する外出又は在室判定手段を備えて成る扉錠に関するものである。
【０００２】
【従来の技術】
例えば老人ホームでは、入居者が在室しているか外出しているかを管理室で遠隔確認し、かつ、電気やガスメーターの作動状況をも確認して、入居者が在室しているにも拘らず、電気やガスメーターが長時間にわたって作動を停止している場合は、これを通常の生活とは違った異常事態と見做して、即ち、例えば容体が悪くて倒れ込んだような事態と見做して、扉錠を解錠し、救護活動を行うシステムをとっている。
【０００３】
この際、入居者の在室又は外出の判定を行うために、扉錠に施錠検知スイッチとスイッチ作動部材とを設けて、室外側でのキーによるシリンダの操作で扉錠が施錠された場合は外出と判定し、この場合、電気やガスメーターが作動を停止していることは当然であって、通常の生活状況と見做し、一方、室内側でのサムターンの操作で扉錠が施錠された場合は在室と判定して、在室でありながら、電気やガスメーターが長時間にわたって作動を停止している場合は、これを異常事態と見做すようにしているのである。
【０００４】
このための外出判定手段を備えた扉錠として、キー操作によるシリンダの施錠検知スイッチと、シリンダまたはサムターンによる施解錠の検知スイッチとを備えて、両スイッチからの検知信号に基づいて論理回路により、在室と外出とを電気的に判定するようにしたもの（例えば特開平５−８６７５５号公報を参照）があるが、非常に高価である上に、停電時には論理回路が働かなくて、復電時に正しく在室と外出とを判定できない点で問題があった。
【０００５】
そこで本出願人は、上記の不都合を一挙に解消できる扉錠、即ち、高価な論理回路が不要で、かつ、スイッチも１個で済み、しかも、復電時には、在室と外出とを正確に判定できる扉錠を、特開平１１−２２２６２号公報によって提案するに至ったのである。
【０００６】
【発明が解決しようとする課題】
ところが、この提案した扉錠は、論理回路を備える扉錠に比較すれば、大幅なコストダウンを期し得るものの、この扉錠は概略、キーの先端でサムターン側に押動されるシリンダ作動体と、サムターンの係合孔に付勢係合される突出部と挿通孔と凹部とを有するスライダーと、シリンダのキー孔にキーを挿入した時にスライダーが後退して、先端がハブに係合する筒状のサムターン作動体と、シリンダのキー孔にキーを挿入した時にキーの先端部がシリンダ作動体を押動することにより後退されるスライダー棒と、スライダー棒に設けられて、シリンダのキー孔を挿入した時にスライダーを後退させて、スライダーとサムターンとの係合を解除する連結部材と、スライダーに設けられて、シリンダのキー孔へのキー操作時にのみ施錠状態を検出するスイッチとからなり、シリンダによる施錠状態をのみ検知して外出と判定するように構成されているが、構造が複雑である点で改善の余地があった。
【０００７】
本発明は、かゝる実情に鑑みて成されたものであって、外出判定のための構造を極端に簡略化して、耐久性にも優れると共に、大幅なコストダウンが達成されるに至った扉錠を提供することを目的としている。
【０００８】
【課題を解決するための手段】
上記の目的を達成するために本発明は、室外側でのキーによるシリンダの操作または室内側でのサムターンの操作によって施錠または解錠されると共に、前記シリンダによる施錠状態を検知して外出と判定する外出判定手段を備えて成る扉錠において、外出判定手段を施錠検知スイッチとスイッチ作動部材とから構成する一方、前記キーによる施錠操作または解錠操作に連動して回動するハブ作動部材と、サムターンのサムピース軸とを、連動機構によって連動連結し、かつ、クラッチ手段を介してハブ作動部材により回転操作される回転部材の回動によって前記スイッチを作動させて、外出判定の検知を行わせるように構成して成り、サムピース軸の端面部に凹入部を形成すると共に、この凹入部に幅方向でルーズに係入する突出部をハブ作動部材に形成して連動機構を構成する一方、クラッチ手段として、サムピース軸の端部側に、前記凹入部に直交する方向でのスライドに伴って回転部材のクラッチ溝に係入するクラッチ部材を保持させ、かつ、このクラッチ部材にハブ作動部材の突出部を係合させて、ハブ作動部材の回動に伴ってのみクラッチ部材をクラッチ溝の端部に係止させて、回転部材をハブ作動部材の回動に連動させて回転させるように構成して成る点に特徴がある（請求項１）。
【０００９】
【００１０】
【００１１】
或いは、室外側でのキーによるシリンダの操作または室内側でのサムターンの操作によって施錠または解錠されると共に、前記シリンダによる施錠状態のみを検知して外出と判定する外出判定手段を備えて成る扉錠であって、外出判定手段を施錠検知スイッチとスイッチ作動部材とから構成する一方、前記キーによる施錠操作または解錠操作に連動して回動するハブ作動部材と、前記サムターンのサムピース軸とを、連動機構によって連動連結し、かつ、クラッチ手段を介してハブ作動部材により回転操作される回転部材の回動によって前記スイッチを作動させて、在室又は外出判定の検知を行わせるように構成して成り、サムピース軸の端面部に凹入部を形成すると共に、この凹入部に幅方向でルーズに係入する突出部をハブ作動部材に形成して連動機構を構成する一方、クラッチ手段として、サムピース軸の端部側に、前記凹入部に直交する方向での回動に伴って回転部材のクラッチ係止部に係脱するクラッチ部材を保持させ、かつ、このクラッチ部材にハブ作動部材の突出部を係合させて、ハブ作動部材の施錠方向への回動に伴ってクラッチ部材をクラッチ係止部に係止させる一方、ハブ作動部材の解錠方向への回動に伴って、ハブ作動部材の突出部を回転部材に係止させて、回転部材をハブ作動部材の回動に連動させて回転させるように構成して成る（請求項２）。
【００１２】
上記の構成によれば、ハブ作動部材とサムピース軸とを連動機構によって一体化させて、扉錠として、これを通常に実施されている扉錠と何ら変わりのない構成にした上で、後は単に、クラッチ手段を介してハブ作動部材により回転操作される回転部材を設けて、この回転部材と錠本体側の固定部材に、スイッチ作動部材と施錠検知スイッチを備えることで、キー操作の施錠時にのみ、施錠検知スイッチを作動させて、外出判定の検知を行わせることができる。
【００１３】
従って、本発明によれば、高価な論理回路が不要で、しかも、スイッチも１個で済む上に、復電時には在室と外出とを正確に判定できる扉錠を、構造を極めて簡単なものにして、かつ、耐久性に優れたものにして、安価に提供することができる。
【００１４】
また、既存の扉錠であっても、これのサムターンのみを交換することで、この既存の扉錠を、在室又は外出を正確に判定できるものに構成変更することができる。
【００１５】
【発明の実施の形態】
以下、外出判定手段を備えた本発明による扉錠の実施の形態を図面に基づいて説明する。図１は扉錠の側面図、図２は一部を破断して示した扉錠の正面図、図３はスイッチ保持ホルダーの一部を展開図示したサムターンの断面図、図４は連動機構と共に示すクラッチ手段の分解斜視図、図５（Ａ）〜（Ｃ）はサムターンによる施錠の動作手順を示す説明図、図６（Ａ）〜（Ｃ）はシリンダによる施錠の動作手順を示す説明図である。
【００１６】
図１及び図２に示すように、本発明による扉錠は、扉１の開放端側に形成の開口孔２に嵌装してビスａ止めされる錠本体３と、扉１の室外側の開口孔４を通して錠本体３に連結固定されるシリンダ５と、扉１の室内側の開口孔６を通してシリンダ５と同一軸線で錠本体３に連結固定されるサムターン７とから成り、かつ、サムターン７は、シリンダ５による施錠状態のみを検知して外出と判定する外出判定手段（図３を参照）８を備えている。
【００１７】
そして錠本体３は、錠ケース９と、この錠ケース９に枢着されたハブ１０と、このハブ１０の回動に伴って錠ケース９の出入孔９ａから出没されるデッドボルト１１と、ハブ１０を施錠状態または解錠状態に安定させる方向に付勢させるスプリング１２とを備えて成り、キー１３による室外側でのシリンダ５の操作、或いは、室内側での摘み１４によるサムターン７の操作でハブ１０を回動させて、このハブ１０を介してデッドボルト１１を出没させることで、施錠状態または解錠状態が得られるようになっている。
【００１８】
尚、図１及び図２において、図中の１５はラッチボルト１６に対するレバーハンドルで、本発明は、このラッチボルト１６を有しない扉錠にも適用されることは言うまでもない。
【００１９】
上記のハブ１０には、図２及び図４に示すように、９０度に開いた扇状開口の２個を９０度の位相で連ねた形状の所謂ハブ孔１０Ａが形成されており、かつ、このハブ孔１０Ａには、シリンダ５のフラットな作動体５Ａと、後述するサムターン７側の十字状作動体（図３を参照）２３ａとが、互いに突き合わせ状態で係入されている。
詳しくは、この実施の形態では、解錠姿勢にあるハブ１０をキー挿入側から見た状態において、シリンダ５のフラットな作動体５Ａの左側下面部５ａと右側上面部５ｂとが、ハブ孔１０Ａの水平の上向き面部１０ａと下向き面部１０ｂとに近接するように形成されており、サムターン７の十字状作動体２３ａは、ハブ孔１０Ａの水平上向き面部１０ａと下向き面部１０ｂ及び鉛直面部１０ｃに近接するように形成されている。
【００２０】
従って、キー１３によるシリンダ５の操作で、ハブ１０を約９０度、施錠方向（キー１３側から見て反時計回り方向）に回動させると、このハブ１０の回動に連動してデッドボルト１１が施錠状態に切り換えられ、かつ、サムターン７も約９０度回動して、サムターン７の摘み１４が水平姿勢に切り換えられる。
この後にキー１３を引き抜くために、キー１３によってシリンダ５を元の姿勢に９０度戻しても、この間、シリンダ５側の作動体５Ａはハブ孔１０Ａ内を遊動するだけであることから、ハブ１０は何ら回動されず、摘み１４も水平姿勢を維持したままとなる。
【００２１】
次にサムターン７の構造について説明すると、このサムターン７は、図３及び図４に示すように、錠ケース８に固定的に保持されるホルダー１９に、ハブ１０側を小径孔ｂとする貫通孔２０をシリンダ５と同一軸線に形成すると共に、小径孔ｂと大径孔ｃの一部とに係入するスペーサー２１に、ハブ１０側を小径にする段付き貫通孔２２を形成し、かつ、この段付き貫通孔２２に、段部ｄによって抜け止めを図る状態でハブ作動部材２３を挿通させている。
【００２２】
そして、ハブ作動部材２３は、上記のハブ孔１０Ａに係入する十字状の作動体２３ａを端部に備えていて、キー１３による施錠操作または解錠操作によるハブ１０に連動して回動するように構成されており、このハブ作動部材２３に突き合わせるようにして、前記ホルダー１９に、摘み１４を備えたサムピース軸２４を回転可能に装着している。
【００２３】
即ち、貫通孔２０の大径孔ｃを閉じる状態の蓋体２５に、サムピース軸２４の挿通用筒体２６を形成して、この筒体２６まわりにリング状スペーサー２７を嵌合させる一方、サムピース軸２４に環状溝ｅを形成し、かつ、サムピース軸２４を筒体２６に貫挿させて後に、環状溝ｅに抜け止めリング２８を係止させて、サムピース軸２４を蓋体２５に対して回転のみ可能に保持させているのであり、この蓋体２５を、例えばビス２５ａによりホルダー１９に装着する前に、クラッチ手段２９を介してハブ作動部材２３により回転操作される回転部材３０を貫通孔２０内に設けると共に、貫通孔２０内において、ハブ作動部材２３とサムピース軸２４とを連動機構３１によって連動連結している。
【００２４】
上記の連動機構３１は、この実施の形態では、解錠状態で上下方向の溝を形成するように、サムピース軸２４の端面部に凹入部３２を形成すると共に、この凹入部３２に幅方向でルーズに（つまりは幅方向に遊びを有して）係入する突出部３３をハブ作動部材２３に形成して成る。
【００２５】
そして、クラッチ手段２９は、サムピース軸２４の端部側に対して、それの回動中心から上方に偏らせるようにして、前記凹入部３２に直交する方向のスライド溝３４を形成すると共に、この溝３４内を凹入部３２に直交する方向にスライド可能で、かつ、スライドに伴って回転部材３０のクラッチ溝３５に係入するクラッチ部材３６を、スライド溝３４に保持させる一方、このクラッチ部材３６に係止凹部３７を形成して、この係止凹部３７にハブ作動部材２３の突出部３３を係合させて成るもので、クラッチ溝３５については、それの両端部ｆ，ｆが解錠状態でスライド溝３４とほゞ面一になるように形成してあり、ハブ作動部材２３の回動に伴ってのみ、ハブ作動部材２３の突出部３３によってクラッチ部材３６がクラッチ溝３５の一方の端部ｆに係止するように構成している。
【００２６】
ここで、上記構成のサムターン７が備える外出判定手段８は、シリンダ５による施錠状態のみを検知する施錠検知スイッチ（例えば近接スイッチ）１７と、このスイッチ１７を作動させる例えばマグネットなどのスイッチ作動部材１８とから成るもので、前記回転部材３０の下部側とホルダー１９の内側面部とに、互いに例えば９０度の位相を有せしめて凹部ｈ，ｉを形成して、回転部材３０側の凹部ｈにスイッチ作動部材１８を埋め込む一方、ホルダー１９側の凹部ｉに施錠検知スイッチ１７を埋め込んでいる。尚、図３において、施錠検知スイッチ１７ならびにスイッチ埋め込み凹部ｉを明確するために、ホルダー１９の一部を展開図示している。
【００２７】
上記の構成において、室内側でのサムターン７の操作で施錠を行う場合は、図５（Ａ）〜（Ｃ）に示すように、摘み１４を施錠方向（図示する例では時計回り方向）に約９０度回動させると、図５（Ａ）に示す状態から図５（Ｂ）に示す過程では、凹入部３２とこれにルーズに係入する突出部３３との遊びの間で、サムピース軸２４のみが回動するのであって、この時、クラッチ部材３６は、その係止凹部３７に係入するハブ作動部材２３の突出部３３に当接するので、図５（Ｂ）の如く、クラッチ部材３６は相対的にクラッチ溝３５から逃げるようにスライドする。
【００２８】
そして、このままサムピース軸２４を回動させると、サムピース軸２４は回転部材３０を残したままで、凹入部３２と突出部３３とによる連動機構３１を介して、ハブ作動部材２３とクラッチ部材３６とを一体に回動させるのであって、これによってハブ作動部材２３を介してハブ１０が回動されることで、デッドボルト１１による施錠が行われるのである。
【００２９】
この施錠状態では、図５（Ｃ）に示すように、回転部材３０が回転することがないので、即ち、スイッチ作動部材１８が施錠検知スイッチ１７を作動させることがないので、外出判定手段８は、室内側でのサムターン７による施錠の在室を判定するのである。
【００３０】
この状態で、サムターン７の操作によって解錠を行うと、サムピース軸２４ならびにハブ作動部材２３は、図５（Ａ）に示す元の解錠姿勢に切り換えられるのであり、かつ、外出判定手段８は、解錠の在室を判定することになる。
【００３１】
尚、図５（Ｃ）の施錠状態からキー１３によるシリンダ５の操作によって解錠すると、ハブ１０の回動によってハブ作動部材２３が回動され、突出部３３によってサムピース軸２４が回動され、図５（Ａ）の元の解錠状態となる。
【００３２】
一方、室外側でのキー１３によるシリンダ５の操作で施錠を行う場合は、図６（Ａ）〜（Ｃ）に示すように、キー１３の操作によってシリンダ５ひいてはハブ１０を施錠方向（図示する例では時計回り方向であるが、室外側でのキー１３の操作方向は反時計回り方向である。）に約９０度回動させると、この回動に連動してハブ作動部材２３が回動し、この際、図６（Ａ）に示す状態から図６（Ｂ）に示す過程では、連動機構３１の遊びの間でハブ作動部材２３のみが回動して、ハブ作動部材２３の突出部３３がクラッチ部材３６を押動することで、図６（Ｂ）の如く、クラッチ部材３６がスライド溝３４に沿ってスライドされて、クラッチ部材３６は、その端部がクラッチ溝３５の端部ｆに係入（クラッチ入りの状態）することになる。
【００３３】
そして、続いてハブ１０によってデッドボルト１１が施錠状態に切り換えられる間に、このハブ１０の回動に連動してハブ作動部材２３が更に回動して、これによってクラッチ部材３６がクラッチ溝３５の端部ｆに係止することで、回転部材３０は、クラッチ手段２９を介してハブ作動部材２３と一体に回動するのであり、かつ、サムピース軸２４もハブ作動部材２３に連動して回動するのであって、デッドボルト１１が施錠状態に切り換えられた状態では、図６（Ｃ）に示すように、回転部材３０も約９０度にわたって回転して、スイッチ作動部材１８が施錠検知スイッチ１７を作動させることで、外出判定手段８は、室外側でのキー１３による施錠の在室を判定するのである。
【００３４】
この状態で、キー１３の操作で解錠を行うために、キー１３を解錠方向（時計回り方向）に約９０度回動させると、シリンダ５によるハブ１０の解錠動作に連動して、先ずは連動機構３１の遊びの間でハブ作動部材２３のみが回動し、ハブ作動部材２３の突出部３３がクラッチ部材３６をスライドさせて、このクラッチ部材３６の端部がクラッチ溝３５の端部ｆに係入する。
【００３５】
これに続いてハブ１０がデッドボルト１１を解錠状態に切り換える間に、クラッチ部材３６の端部がクラッチ溝３５の端部ｆに係止して、回転部材３０がクラッチ手段２９を介してハブ作動部材２３と一体に回動すると共に、サムピース軸２４もハブ作動部材２３に連動して回動することで、デッドボルト１１が解錠状態に切り換えられた状態では、サムピース軸２４ならびにハブ作動部材２３は、図６（Ａ）に示す元の解錠姿勢（クラッチ切りの状態）に切り換えられるのであり、かつ、外出判定手段８は、解錠の在室を判定することになる。
【００３６】
上記の構成によれば、サムターン７として、これを連動機構３１によって一体化されるハブ作動部材２３とサムピース軸２４とから構成し、かつ、クラッチ手段２９を介して、ハブ作動部材２３のみによって回転操作される回転部材３０を設けて、この回転部材３０と錠本体３側のホルダー１９に、スイッチ作動部材１８と施錠検知スイッチ１７を備えるだけで、室内側でのサムターン７の操作による施錠の在室と室外側でのキー１３の操作による施錠の外室とを判定することができる。
【００３７】
しかも、シリンダ５の回動で施解錠を確認し、サムターン７の回動では施錠の確認を行わせないので、例えばシリンダ５による施錠状態で停電して復電した際には、施錠状態が確実に確認されるのであり、かつ、復電するまでに、シリンダ５によって解錠操作が行われたとしても、復電した際には解錠状態が確認されるのであって、停電時にシリンダ５を如何に操作しても、復電時には誤作動なく、施錠状態または解錠状態を確実に確認でき、在室又は外出を正確に判定することができる。
【００３８】
従って、本発明によれば、高価な論理回路が不要で、しかも、スイッチも１個で済む上に、復電時には在室と外出とを正確に判定できる扉錠を、構造を極めて簡単なものにして、耐久性に優れたものを安価に提供することができる。
【００３９】
また、既存の扉錠であっても、これのサムターンのみを交換することで、この既存の扉錠を、在室又は外出を正確に判定できるものに構成変更することができる。
【００４０】
特に、外出判定手段８とクラッチ手段２９とをシリンダ５に設けるには、シリンダ５の構造上、スペースに制約を受けるため、不可能であると言っても過言ではなく、この点にあって本発明では、スペース的に余裕のあるサムターン７に、外出判定手段８とクラッチ手段２９など全てを収納した点にも特徴を有するのである。
【００４１】
次に、別の実施の形態によるサムターン７を、図７〜図１４に基づいて説明する。ここで、図７はサムターンの断面図、図８は連動機構と共に示すクラッチ手段の分解斜視図、図９（Ａ），（Ｂ）〜図１１（Ａ），（Ｂ）はサムターンによる施錠の動作手順を示す説明図、図１２（Ａ），（Ｂ）〜図１４（Ａ），（Ｂ）はシリンダによる施錠の動作手順を示す説明図である。
【００４２】
この別の実施の形態によるサムターン７は、図７に示すように、キー１３によるシリンダ５の施錠操作または解錠操作に連動して回動するハブ１０に連結される点では、図３に示したサムターン７と何ら異なるものではなく、クラッチ手段２９の構成が次のように異なるだけのものである。
【００４３】
即ち、図７及び図８に示すように、錠ケース９に固定的に保持されるホルダー１９に、サムピース軸２４の摘み１４側を開放した中空部Ｐと、ハブ１０側を小径にした段付き貫通孔４１とを形成すると共に、ハブ１０のハブ孔（図４を参照）１０Ａに係入する十字状の作動体２３ａを端部に備えたハブ作動部材２３を、スペーサー４２を介して段付き貫通孔４１に回動可能に設け、かつ、後述するクラッチ手段２９を介してハブ作動部材２３により回転操作される板状の回転部材３０を、ハブ作動部材２３に嵌合保持させている。
【００４４】
そして、上記の回転部材３０に舌片を連設して、この舌片をスイッチ作動部材１８とし、このスイッチ作動部材１８と、このスイッチ作動部材１８によってＯＮ・ＯＦＦ作動されて、シリンダ５による施錠状態又は解錠状態を検知する施錠検知スイッチ（この実施の形態ではマイクロスイッチ）１７とによって、外出判定手段８を構成すると共に、この内の施錠検知スイッチ１７を中空部Ｐの上部にビスｊ止めし、かつ、中空部Ｐの摘み１４側の開口部の一部を閉じるように、上記のビスｊによってＬ字状のブラケット４３を共締めしている。
【００４５】
一方、Ｌ字状ブラケット４３にビスｍ止めされる蓋体４４に、ホルダー１９の段付き貫通孔４１と同一軸線の貫通孔４５を備えたリング部材４６を設けて、このリング部材４６に、摘み１４を備えたサムピース軸２４を挿通させると共に、このサムピース軸２４とスイッチ作動部材１８の突き合わせ端部に、凹入部３２と突出部３３とを形成して連動機構３１を構成し、更に、サムピース軸２４とリング部材４６との間に、サムピース軸２４の摘み１４を垂直姿勢と水平姿勢とに位置決めするためのクリック手段４７，４７を設けると共に、リング部材４６の内端面に係止するリング４８をサムピース軸２４に設けて、サムピース軸２４の抜け止めを図っている。
【００４６】
尚、上記の回転部材３０には、ハブ１０のハブ孔１０Ａと同じ形状の係合孔３０Ａが形成されていて、この係合孔３０Ａにハブ作動部材２３の突出部３３が係入されており、かつ、この実施の形態では、解錠状態で回転部材３０をキー挿入側から見た状態において、突出部３３の右側上部の面部３３ａと左側下部の面部３３ｂとが、係合孔３０Ａの鉛直面部３０ａ，３０ｂに近接する状態に形成されており、後述するクラッチ手段２９を備えていない状態では、ハブ作動部材２３ならびにサムピース軸２４を施解錠方向の何れに回動させても、ハブ作動部材２３の突出部３３は、係合孔３０Ａ内を遊動するだけである。
【００４７】
次にクラッチ手段２９について説明すると、このクラッチ手段２９は、サムピース軸２４の端部側に対して、それの回動中心から上方に偏らせるようにして、前記凹入部３２に直交する方向のスライド溝３４を形成すると共に、この溝３４内をスライド可能で、かつ、スライドに伴って回転部材３０のクラッチ係止部４９に係入する係止片５０を有したクラッチ部材３６を、サムピース軸２４の端部側にピンｍまわりで回動可能に保持させている。
【００４８】
そして、このクラッチ部材３６に、ハブ作動部材２３の突出部３３の両面に点当接する状態の突起ｎ，ｎを備えた係止凹部３７を形成して、この係止凹部３７にハブ作動部材２３の突出部３３を係合させて成るもので、図９（Ａ）の解錠状態では、回転部材３０のクラッチ係止部４９と、このクラッチ係止部４９に対するクラッチ部材３６の係止片５０とが互いに相対峙する状態で、この内の係止片５０がスライド溝３４内に納まっており、かつ、回転部材３０のスイッチ作動部材１８は、スイッチ作動の待機位置に退避していて、ハブ作動部材２３の回動に伴ってのみ、クラッチ部材３６が回動して、それの係止片５０が回転部材３０のクラッチ係止部４９に係入するように構成している。
【００４９】
上記の構成において、室内側でのサムターン７の操作で施錠を行う場合は、図９（Ａ），（Ｂ）〜図１１（Ａ），（Ｂ）に示すように、摘み１４によってサムピース軸２４を施錠方向（図示する例では時計回り方向）に回動させると、図９（Ａ），（Ｂ）に示す状態から図１０（Ａ），（Ｂ）に示す過程では、凹入部３２とこれにルーズに係入する突出部３３との遊びの間で、クラッチ部材３６を備えたサムピース軸２４のみが回動し、かつ、サムピース軸２４の凹入部３２がハブ作動部材２３の突出部３３に係止して後は、図１１（Ａ），（Ｂ）に示すように、連動機構３１を介してサムピース軸２４とハブ作動部材２３とが一体に回動し、これによってハブ作動部材２３を介してハブ１０が回動されることで、デッドボルトによる施錠が行われるのである。
【００５０】
この間、クラッチ部材３６は、ハブ作動部材２３の突出部３３による回動を一切伴わないことから、即ち、ハブ作動部材２３の突出部３３は、回転部材３０の係合孔３０Ａ内を遊動するだけで、回転部材３０は回動せず、回転部材３０のスイッチ作動部材１８が施錠検知スイッチ１７を作動させることがないので、外出判定手段８は、室内側でのサムターン７による施錠の在室を判定するのである。
【００５１】
この状態で、サムターン７によるシリンダ５の操作によって解錠を行うと、サムピース軸２４ならびにハブ作動部材２３は、図９（Ａ），（Ｂ）に示す元の解錠姿勢に切り換えられるのであり、かつ、外出判定手段８は、解錠の在室を判定することになる。
【００５２】
尚、図１１（Ａ），（Ｂ）の施錠状態からキー１３によるシリンダ５の操作によって解錠すると、ハブ１０の回動によってハブ作動部材２３が回動され、突出部３３によってサムピース軸２４が回動され、図９（Ａ），（Ｂ）の元の解錠状態となる。
【００５３】
一方、室外側でのキー１３によるシリンダ５の操作で施錠を行う場合は、図１２（Ａ），（Ｂ）〜図１４（Ａ），（Ｂ）に示すように、キー１３の操作によってシリンダ５ひいてはハブ１０を施錠方向（キー１３側から見て反時計回り方向）に約９０度回動させると、この回動に連動してハブ作動部材２３が回動し、この際、図１２（Ａ），（Ｂ）に示す状態から図１３（Ａ），（Ｂ）に示す過程では、連動機構３１の遊びの間でハブ作動部材２３の突出部３３のみが回動して、この突出部３３がクラッチ部材３６の施錠方向側の突起ｎを押圧して、クラッチ部材３６を回動させることで、このクラッチ部材３６の係止片５０が回転部材３０のクラッチ係止部４９に係入（クラッチ入りの状態）することになる。
【００５４】
そして、これに続くハブ１０の施錠動作に連動して、ハブ作動部材２３が更に回動することで、ハブ作動部材２３は、クラッチ手段２９を介して回転部材３０を一体に回動するのであり、かつ、サムピース軸２４もハブ１０の回動によりハブ作動部材２３に連動して回動するのであって、デッドボルトが施錠状態に切り換えられた状態では、図１４（Ａ），（Ｂ）に示すように、回転部材３０も約９０度にわたって回転して、スイッチ作動部材１８が施錠検知スイッチ１７を作動させることで、外出判定手段８は、室外側でのキー１３による施錠の在室を判定する。
この施錠状態では、解錠状態で鉛直であった回転部材３０の係合孔３０Ａにおける面部３０ａ，３０ｂが、左側の水平上向き面部と右側の下向き面部３０ｂとに姿勢を変更しており、かつ、これらの面部３０ａ，３０ｂに、突出部３３の面部３３ａ，３３ｂが近接する状態となっている。
【００５５】
従って、この状態で解錠を行うために、キー１３を解錠方向（時計回り方向）に約９０度回動させると、この回動に伴って、ハブ作動部材２３の突出部３３が解錠方向側の突起ｎを押圧して、クラッチ部材３６を回動させることで、このクラッチ部材３６の係止片５０が回転部材３０のクラッチ係止部４９から抜け出して、クラッチ手段２９がクラッチ切りの状態に切り換えられる。
【００５６】
一方、キー１３によるハブ１０の解錠動作に連動して、連動機構３１の遊びの間でハブ作動部材２３のみが回動すると共に、これに続いて、ハブ１０がデッドボルトを解錠状態に切り換える間に、突出部３３の面部３３ａ，３３ｂが回転部材３０の係合孔３０Ａにおける面部３０ａ，３０ｂに係止して、ハブ作動部材２３と回転部材３０とが一体に解錠方向に約９０度回動し、かつ、サムピース軸２４もハブ作動部材２３に連動して回動するのであって、デッドボルトが解錠状態に切り換えられた状態では、サムピース軸２４ならびにハブ作動部材２３は、図１２（Ａ），（Ｂ）に示す元の解錠姿勢に切り換えられるのであり、かつ、外出判定手段８は、解錠の在室を判定することになる。
【００５７】
別の実施の形態による上記構成のサムターン７にあっても、高価な論理回路が不要で、かつ、スイッチも１個で済む上に、復電時には在室と外出とを正確に判定できる扉錠を、構造を極めて簡単なものにして安価に提供でき、しかも、既存の扉錠についても、これのサムターンのみを交換することで、この既存の扉錠を、在室又は外出を正確に判定できる扉錠に構成変更することができる。
【００５８】
尚、上記した各実施の形態では、外出判定手段８の施錠検知スイッチ１７として、スイッチ接点が開くことで外出を判定するように、ブレーク接点を用いているが、メーク接点を用いて外出を判定するようにしてもよい。
【００５９】
また、図８において、クラッチ部材３６を回動可能に保持するためのピンｍの挿通孔ｒを、凹入部３２を挟んでその両側に２個設けているが、これはサムターン７を勝手違いに変更可能に構成する上でのことであって、一方の挿通孔ｒは予備孔となっている。
【００６０】
更に、各実施の形態では、電気錠でない一般的な扉錠について説明したが、例えば図１５に示す電気錠などのも適用される。
【００６１】
図１５に示す電気錠は、公知の一例を示したもので、ソレノイド６１やハブ１０の作動によって、施錠部材６２がラッチボルト兼用のデッドボルト１１に係脱することで、施錠または解錠されるようにしたものである。
【００６２】
即ち、ソレノイド６１のプランジャ６３に揺動部材６４の一端をピン６５で連結すると共に、揺動部材６４の他端を施錠部材６２の一端にピン６６にて連結し、施錠部材６２の他端の係合部６７をデッドボルト１１の被係合部６８に係脱自在に係合するようにしたものである。尚、図１５において、図中の６９は施錠部材６２によるデッドボルト１１の係合部６７への係合を安定して行わせるスプリングである。
【００６３】
【発明の効果】
以上説明したように、本発明の扉錠によれば、高価な論理回路が不要で、しかも、スイッチも１個で済む上に、復電時には在室と外出とを正確に判定できる扉錠を、構造を極めて簡単なものにして、耐久性に優れると共に極めて安価に提供することができ、加えて、既存の扉錠についても、これのサムターンのみを、クラッチ手段および外出判定手段を備えたサムターンに交換することで、この既存の扉錠を、在室又は外出を正確に判定できる扉錠に構成変更することができるという極めて優れた効果を奏する。
【図面の簡単な説明】
【図１】  扉錠の側面図である。
【図２】  一部を破断して示した扉錠の正面図である。
【図３】  スイッチ保持ホルダーの一部を展開図示したサムターンの断面図である。
【図４】  連動機構と共に示すクラッチ手段の分解斜視図である。
【図５】  （Ａ）〜（Ｃ）はサムターンによる施錠の動作手順を示す説明図である。
【図６】  （Ａ）〜（Ｃ）はシリンダによる施錠の動作手順を示す説明図である。
【図７】  別の実施の形態によるサムターンの断面図である。
【図８】  連動機構と共に示すクラッチ手段の分解斜視図である。
【図９】  （Ａ），（Ｂ）は解錠状態下のクラッチ手段の説明図である。
【図１０】  （Ａ），（Ｂ）はサムターンによる施錠途中の状態を示すクラッチ手段の説明図である。
【図１１】  （Ａ），（Ｂ）はサムターンによる施錠状態を示すクラッチ手段の説明図である。
【図１２】  （Ａ），（Ｂ）は解錠状態下のクラッチ手段の説明図である。
【図１３】  （Ａ），（Ｂ）はシリンダによる施錠途中の状態を示すクラッチ手段の説明図である。
【図１４】  （Ａ），（Ｂ）はシリンダによる施錠状態を示すクラッチ手段の説明図である。
【図１５】  電気錠を示す側面図である。
【符号の説明】
５…シリンダ、７…サムターン、８…外出判定手段、１３…キー、１７…施錠検知スイッチ、１８…スイッチ作動部材、１９…ホルダー（錠本体側の固定部材）、２３…ハブ作動部材、２４…サムピース軸、２９…クラッチ手段、３０…回転部材、３１…連動機構、３２…凹入部、３３…突出部、３５…クラッチ溝、３６…クラッチ部材、４９…クラッチ係止部。
【図１】
0004287535.tif 000002
【図２】
0004287535.tif 000003
【図３】
0004287535.tif 000004
【図４】
0004287535.tif 000005
【図５】
0004287535.tif 000006
【図６】
0004287535.tif 000007
【図７】
0004287535.tif 000008
【図８】
0004287535.tif 000009
【図９】
0004287535.tif 000010
【図１０】
0004287535.tif 000011
【図１１】
0004287535.tif 000012
【図１２】
0004287535.tif 000013
【図１３】
0004287535.tif 000014
【図１４】
0004287535.tif 000015
【図１５】
0004287535.tif 000016